(57)【要約】      （修正有）【課題】安価且つ果実への被袋が容易であると共に、コルク層の発達を抑制して品質の高い果実を得ることができる果実袋を提供する。【解決手段】果実袋１は、袋体２の袋底３から所定範囲の内側面に、果実６の下部を２重に覆って袋体２内の保湿性を高めると共に、防菌剤が含浸、塗布される等により状菌類や酵母類の繁殖を抑える抗菌機能が付与された防菌紙４が貼付される。【選択図】図３
0003161438.tif 000002
【実用新案登録請求の範囲】
【請求項１】
袋体の袋底から所定範囲の内側面に防菌紙が貼付されることを特徴とする果実袋。
【請求項２】
前記防菌紙が、前記袋体の上縁から前記袋底までの長さの１／２以下の幅を有していることを特徴とする請求項１の果実袋。
【請求項３】
前記防菌紙は、撥水性を有することを特徴とする請求項１又は２に記載の果実袋。
【考案の詳細な説明】
【技術分野】
【０００１】
本考案は、果実袋に関し、特に、品質の高い果実を得ることができる果実袋に関するものである。
【背景技術】
【０００２】
従来より、梨等の果実を生産する際には、病害虫等の防除、果実表面の保護、果実の成育の促進等の目的で、栽培途中の果実に紙等でできた果実袋を被袋させる栽培法が知られている。
【０００３】
前記果実袋には一重袋と二重袋がある。このうち、二重袋は一重袋に比べて高価であり、また果実に被袋する際の作業に労力を要するという問題がある。また、一重袋を使用した場合には、二重袋を使用した場合と比較して、果実の糖度が高くなる傾向があることも報告されている。そのため、一重袋を使用することが検討されている（例えば特許文献1）。
【先行技術文献】
【特許文献】
【０００４】
【特許文献１】特開２００６−０１４７３５号公報
【考案の概要】
【考案が解決しようとする課題】
【０００５】
しかしながら、特許文献１に開示されるような一重袋には問題がある。それは、二十世紀梨を初めとする青梨等の果実の栽培において、一重袋を使用した際に果実の下部にコルク層が発達しやすいことである。コルク層が発達した場合には、その部分が褐色のアザとなる。アザが生じた果実は、規格外品となり商品価値がなくなるので、栽培農家の収益減少に直結してしまう。
【０００６】
果実の下部におけるコルク層の発達は、果実の成長によって、その表皮のクチクラ層に亀裂が入ることにより生じる。一重袋は、二重袋に比べて袋内の保湿性が低く、乾燥しやすいためクチクラ層に亀裂が入り易く、それ故コルク層が発達し易い。また、一重袋では、二重袋に比べて、それらを構成する紙等に付加している防菌剤による防菌性が劣化し易く、それ故前記クチクラ層の亀裂内で糸状菌類、及び酵母類が繁殖する。前記糸状菌類、及び前記酵母類の繁殖は、コルク層の発達を助長していると言われている。
【０００７】
以上に基づき、青梨等の果実の栽培においては、一重袋の使用は難しく、依然として、高価、且つ果実に被袋する際の作業に労力を要する二重袋を使用せざるを得ない状況である。
【０００８】
そこで本考案は、安価且つ果実への被袋が容易であると共に、コルク層の発達を抑制して品質の高い果実を得ることができる果実袋を提供することを目的とする。
【課題を解決するための手段】
【０００９】
上記目的を達成するための請求項１の考案の果実袋は、袋体の袋底から所定範囲の内側面に防菌紙が貼付されることを特徴とするものである。
【００１０】
請求項２の考案の果実袋は、請求項１に記載の果実袋において、前記防菌紙が、前記袋体の上縁から前記袋底までの長さの１／２以下の幅を有していることを特徴とするものである。
【００１１】
請求項３の考案の果実袋は、請求項１又は２に記載の果実袋において、前記防菌紙が、撥水性を有することを特徴とするものである。
【考案の効果】
【００１２】
請求項１に係る果実袋によると、袋体の袋底から所定範囲の内側面に貼付された防菌紙により、状菌類や酵母類の繁殖を抑えることができる。また、この防菌紙が貼付された部分は二重となるので、袋内の保湿性が高まると共に、当該防菌紙の防菌性の劣化も抑えることができる。以上に基づき、本果実袋を使用することで、果実の下部におけるコルク層の発達を抑制して品質の高い果実が得られる。
【００１３】
また、本果実袋では、防菌紙が袋体の内側面に貼付され、かつ、貼付される範囲が限定されるので、その使用量が少なく安価であり、果実に被袋する作業も容易に行うことができる。
【００１４】
請求項２に係る果実袋によると、防菌紙が、袋体の上縁から袋底までの長さの１／２以下の幅であるので、その使用量は抑制される。これにより、本果実袋は安価なものとすることができる。また、本果実袋は果実の下部を当該防菌紙により覆って、その効果を発揮させることができる。
【００１５】
請求項３に係る果実袋によると、前記防菌紙が、撥水性を有することで、その抗菌性の劣化をさらに抑えることができる。
【図面の簡単な説明】
【００１６】
【図１】本実施形態の果実袋の正面図である。
【図２】本実施形態の果実袋の展開図である。
【図３】本実施形態の果実袋を果実に取付けた例を示す図である。
【考案を実施するための形態】
【００１７】
以下に、図１から図３を参照しつつ、本考案の果実袋１について説明する。果実袋１は、袋体２の袋底３から所定範囲内の内側面に防菌紙４が貼付されたものである。
【００１８】
前記袋体２は、例えば、白色模造紙、褐色模造紙、赤色模造紙、筋入りクラフト紙、筋無クラフト紙、新聞用原紙等の種々の紙等を封筒状に製袋して形成される。袋体２は、例えば幅が１０ｃｍ以上２２ｃｍ以下で高さが１３ｃｍ以上２５ｃｍ以下の封筒形状であり、その上縁５は開口して果実６を挿入することができるように形成されている。また、その下端は、袋体２の一方の面を他方の面側に折り曲げて接着剤等で貼着することで袋底３を形成している。また、袋底３の両隅には雨水の排出や換気ができる水抜き穴７が設けられている。
【００１９】
なお、本実施例においては、袋体２の果実６を挿入する開口を有する側を上方、袋体２の袋底５が形成される側を下方という。また、上下方向の長さを高さ、左右方向の長さを幅、左右方向を幅方向という。
【００２０】
袋体２の上縁５は、一方の面側が他方の面側よりも中央部分が下方に窪んだ形状となっており、この上縁４を開口させる際に拡げ易く、また、果実６を挿入し易くしている。
【００２１】
前記防菌紙４は、例えば、パラフィン紙、白色模造紙、褐色模造紙、赤色模造紙、筋入りクラフト紙、筋無クラフト紙、新聞用原紙等からなる帯状の紙片であり、防菌剤が含浸、塗布される等により抗菌機能が付与されたものである。この防菌紙４の高さ（幅）は、袋体２の高さの１／２以下の高さであり、例えば袋体２の高さが１３ｃｍであるときに６．５ｃｍ以下、袋体２の高さが２５ｃｍであるときに１２．５ｃｍ以下とされる。なお、例えば袋体２の高さが１７．５ｃｍであるときに、この防菌紙４の高さは、２ｃｍ以上６ｃｍ以下とすることがより好ましい。また、防菌紙４は、下端を袋体２の袋底３に位置させて、当該袋体２の一方の面及び他方の面の内部側の面（以下、内側面という）の幅方向全域に接着剤等により貼付されている。防菌紙４の貼付は、図２に示すように、袋体２を製袋する前に行うことで簡便に行うことができる。
【００２２】
なお、防菌紙４に含浸、塗布等する抗菌剤は、例えばクロロタロニル（ＴＰＮ）、キャプタン等の有機塩素系薬剤、イプロベンホス（ＩＢＰ）、エジフェンホス（ＥＤＤＰ）等の有機リン系薬剤、水石灰硫黄合剤、和硫黄剤等の無機硫黄系薬剤、マンゼブ、ジネブ等の有機硫黄系薬剤、ＤＢＥＤＣ、ノニルフェノールスルホン酸銅等の有機銅系薬剤等の抗菌、殺菌成分を有効成分とする農薬取締法の規定により登録された種主の農薬を単独又は複数混合したものとすることができ、果実袋１を使用する農作物の品種や抗菌したい菌種に応じて選択できる。
【００２３】
更に、防菌紙４は、パラフィン紙等撥水性を有する材料にて構成する場合は不要であるが、白色模造紙等撥水性を有さない材料にて構成する場合は抗菌機能を付与した後に撥水加工を施すことが好ましい。防菌紙４が撥水性を有することで、雨水等によって抗菌剤が流出し、当該防菌紙４の抗菌性が劣化することを防ぐことができる。なお撥水加工は、上記抗菌機能を付与した後に、例えばパラフィンワックスやエマルジョンワックス等を塗布することにより行うことができる。
【００２４】
上述のような果実袋１を果実６に被袋するときには、果実袋１の上縁５の下側を指で挟持して幅方向にずらし、果実袋１の上縁５を広げる。そして、この広がった上縁５から果実袋１の袋体２内に果実６を挿入する。次に、果実６を果実袋１内に挿入した状態で、果実袋１の上方領域を果実６の果梗６ａに集め、針金８等を用いて縛る。これにより、果実袋１は、図３に示すように、果実６を内部に内包した状態で果梗６ａに固定される。
【００２５】
ここで、果実袋１では、防菌紙４が、袋底３から、袋体２の高さの１／２以下の位置まで貼付されている。より好ましくは、例えば袋体２の高さが１７．５ｃｍであるときに、防菌紙４は、袋底３から、その上方に２ｃｍ以上６ｃｍ以下離れた位置まで貼付される。また、防菌紙４は、袋体２の一方の面及び他方の面の内側面の幅方向全域に貼付されている。これらにより、果実６は当該防菌紙４にその下部を覆われる。従って果実６の下部において糸状菌類、及び酵母類が繁殖することが防止される。また、果実６の下部は、袋体２と防菌紙４により２重に覆われることになるので、従来の一重袋と比べて保湿される。
【００２６】
また、果実袋１では、防菌紙４が袋体２の内側面に貼付されていることにより、当該防菌紙４が外部に露出しない。そのため、防菌紙４が外部に露出する場合と比べ、当該防菌紙４の抗菌性は長く維持される。この防菌紙４の抗菌性は、当該防菌紙４に撥水性を付与することで更に長期に渡り維持され、果実袋１では、糸状菌類、及び酵母類の繁殖を果実６の収穫まで防止することができる。以上により、果実袋１を使用することで、二十世紀梨を初めとする青梨においても果実６の下部におけるコルク層の発達を抑制することができ、品質の高い果実を得ることができる。
【００２７】
また、果実袋１では、上記のように、果実６の下部を防菌紙４により覆うことができればよいので、防菌紙４の使用量を少なくすることができ、果実袋１は従来の２重袋と比較して安価に製造することができる。また、防菌紙４が袋体２の内側面に貼り付けられていることも相俟って、果実袋１は果実６への被袋も従来の２重袋と比較して容易に行うことができる。さらに、果実袋１では果実６の下部のみが防菌紙４に触れるので、防菌紙４に含浸、塗布等された抗菌剤が果実６に入り込みにくい。
【００２８】
なお、本考案の実施の形態は上述の形態に限ることなく、本考案の思想の範囲を逸脱しない範囲で適宜変更することができる。
【産業上の利用可能性】
【００２９】
以上のように、本考案に係る果実袋１は、例えば二十世紀梨等の果実６の栽培に用いる果実袋に好適に適用できる。
【符号の説明】
【００３０】
１  果実袋
２  袋体
３  袋底
４  防菌紙
５  上縁
【図１】
0003161438.tif 000003
【図２】
0003161438.tif 000004
【図３】
0003161438.tif 000005